(57)【要約】  システム情報を要求するための方法が提案される。本方法は、ユーザ端末からネットワークノードへ、１つまたは複数のシステム情報ブロックを各々が備える少なくとも１つのシステム情報ブロックグループについての要求を送信することを含み得る。１つまたは複数のシステム情報ブロックは、１つまたは複数のシステム情報ブロックの特徴に従ってグループ化され得る。本方法は、ネットワークノードから１つまたは複数のシステム情報ブロックグループを受信することをさらに含み得る。１つまたは複数のシステム情報ブロックグループは、少なくとも１つのシステム情報ブロックグループを備え得る。【選択図】図１
2020503796.tif 000002
【特許請求の範囲】
【請求項１】
システム情報を要求するための方法であって、
ユーザ端末からネットワークノードへ、１つまたは複数のシステム情報ブロックを各々が備える少なくとも１つのシステム情報ブロックグループについての要求を送信すること（１０２）であって、前記１つまたは複数のシステム情報ブロックが、前記１つまたは複数のシステム情報ブロックの特徴に従ってグループ化される、送信すること（１０２）と、
前記ネットワークノードから１つまたは複数のシステム情報ブロックグループを受信すること（１０４）であって、前記１つまたは複数のシステム情報ブロックグループが、前記少なくとも１つのシステム情報ブロックグループを備える、受信すること（１０４）と
を含む、方法。
【請求項２】
前記要求の前記送信が、前記少なくとも１つのシステム情報ブロックグループを示すためのプリアンブルを送信することを含む、請求項１に記載の方法。
【請求項３】
前記要求の前記送信は、
複数のプリアンブルから、前記少なくとも１つのシステム情報ブロックグループに関連するプリアンブルを選択することと、
前記ネットワークノードに前記要求を送信することであって、前記要求が、前記選択されたプリアンブルを含む、送信することと
を含む、請求項２に記載の方法。
【請求項４】
前記少なくとも１つのシステム情報ブロックグループが、前記プリアンブルの送信タイミングによって示される、請求項２または３に記載の方法。
【請求項５】
前記要求の前記送信が、前記少なくとも１つのシステム情報ブロックグループに関連する選択された送信タイミングに従って前記ネットワークノードに前記要求を送信することを含む、請求項４に記載の方法。
【請求項６】
前記ネットワークノードから通知情報を受信することであって、前記少なくとも１つのシステム情報ブロックグループの送信が、前記通知情報に少なくとも部分的に基づいて、あらかじめ規定されるかまたは導出される、受信すること
をさらに含む、請求項１から５のいずれか一項に記載の方法。
【請求項７】
前記通知情報が、最小システム情報中に含まれる、請求項６に記載の方法。
【請求項８】
前記１つまたは複数のシステム情報ブロックの前記特徴が、前記１つまたは複数のシステム情報ブロックの機能性および周期性のうちの少なくとも１つを含む、請求項１から７のいずれか一項に記載の方法。
【請求項９】
前記ネットワークノードからインジケータを受信することであって、前記インジケータは、どのシステム情報ブロックグループが前記ネットワークノードから送信されているか、およびどのシステム情報ブロックグループが前記ネットワークノードから送信されるようにスケジュールされるか、のうちの少なくとも１つを示す、受信すること
をさらに含む、請求項１から８のいずれか一項に記載の方法。
【請求項１０】
前記１つまたは複数のシステム情報ブロックグループが、前記ユーザ端末によって要求されない少なくとも別のシステム情報ブロックグループをさらに備える、請求項１から９のいずれか一項に記載の方法。
【請求項１１】
前記通知情報が、プリアンブルのすべてとシステム情報ブロックグループのすべてとの間の対応を示す、請求項６から１０のいずれか一項に記載の方法。
【請求項１２】
システム情報を要求するための装置（３００）であって、
少なくとも１つのプロセッサ（３０１）と、
コンピュータプログラムコード（３０３）を備える少なくとも１つのメモリ（３０２）と
を備え、
前記少なくとも１つのメモリ（３０２）および前記コンピュータプログラムコード（３０３）は、前記少なくとも１つのプロセッサ（３０１）とともに、前記装置（３００）に、少なくとも、
ネットワークノードに、１つまたは複数のシステム情報ブロックを各々が備える少なくとも１つのシステム情報ブロックグループについての要求を送信することであって、前記１つまたは複数のシステム情報ブロックが、前記１つまたは複数のシステム情報ブロックの特徴に従ってグループ化される、送信することと、
前記ネットワークノードから１つまたは複数のシステム情報ブロックグループを受信することであって、前記１つまたは複数のシステム情報ブロックグループが、前記少なくとも１つのシステム情報ブロックグループを備える、受信することと
を行わせるように設定された、
装置（３００）。
【請求項１３】
前記少なくとも１つのメモリおよび前記コンピュータプログラムコードが、前記少なくとも１つのプロセッサとともに、前記装置に、前記少なくとも１つのシステム情報ブロックグループを示すためのプリアンブルを送信することによって前記要求を送信させるように設定された、請求項１２に記載の装置。
【請求項１４】
前記少なくとも１つのメモリおよび前記コンピュータプログラムコードは、前記少なくとも１つのプロセッサとともに、前記装置に、
複数のプリアンブルから、前記少なくとも１つのシステム情報ブロックグループに関連するプリアンブルを選択することと、
前記ネットワークノードに前記要求を送信することであって、前記要求が、前記選択されたプリアンブルを含む、送信することと
によって、前記要求を送信させるように設定された、請求項１３に記載の装置。
【請求項１５】
前記少なくとも１つのシステム情報ブロックグループが、前記プリアンブルの送信タイミングによって示される、請求項１３または１４に記載の装置。
【請求項１６】
前記少なくとも１つのメモリおよび前記コンピュータプログラムコードが、前記少なくとも１つのプロセッサとともに、前記装置に、前記少なくとも１つのシステム情報ブロックグループに関連する選択された送信タイミングに従って前記ネットワークノードに前記要求を送信することによって、前記要求を送信させるように設定された、請求項１５に記載の装置。
【請求項１７】
前記少なくとも１つのメモリおよび前記コンピュータプログラムコードは、前記少なくとも１つのプロセッサとともに、前記装置に、少なくとも、
前記ネットワークノードから通知情報を受信することであって、前記少なくとも１つのシステム情報ブロックグループの送信が、前記通知情報に少なくとも部分的に基づいて、あらかじめ規定されるかまたは導出される、受信すること
をさらに行わせるように設定された、請求項１２から１６のいずれか一項に記載の装置。
【請求項１８】
前記通知情報が、最小システム情報中に含まれる、請求項１７に記載の装置。
【請求項１９】
前記１つまたは複数のシステム情報ブロックの前記特徴が、前記１つまたは複数のシステム情報ブロックの機能性および周期性のうちの少なくとも１つを含む、請求項１２から１８のいずれか一項に記載の装置。
【請求項２０】
前記少なくとも１つのメモリおよび前記コンピュータプログラムコードは、前記少なくとも１つのプロセッサとともに、前記装置に、少なくとも、
前記ネットワークノードからインジケータを受信することであって、前記インジケータは、どのシステム情報ブロックグループが前記ネットワークノードから送信されているか、およびどのシステム情報ブロックグループが前記ネットワークノードから送信されるようにスケジュールされるか、のうちの少なくとも１つを示す、受信すること
をさらに行わせるように設定された、請求項１２から１９のいずれか一項に記載の装置。
【請求項２１】
前記１つまたは複数のシステム情報ブロックグループが、前記装置によって要求されない少なくとも別のシステム情報ブロックグループをさらに備える、請求項１２から２０のいずれか一項に記載の装置。
【請求項２２】
前記通知情報が、プリアンブルのすべてとシステム情報ブロックグループのすべてとの間の対応を示す、請求項１７から２１のいずれか一項に記載の装置。
【請求項２３】
システム情報を要求するための装置（４００）であって、
ネットワークノードに、１つまたは複数のシステム情報ブロックを各々が備える少なくとも１つのシステム情報ブロックグループについての要求を送信するように設定された送信モジュール（４０１）であって、前記１つまたは複数のシステム情報ブロックが、前記１つまたは複数のシステム情報ブロックの特徴に従ってグループ化される、送信モジュール（４０１）と、
前記ネットワークノードから１つまたは複数のシステム情報ブロックグループを受信するように設定された受信モジュール（４０２）であって、前記１つまたは複数のシステム情報ブロックグループが、前記少なくとも１つのシステム情報ブロックグループを備える、受信モジュール（４０２）と
を備える、装置（４００）。
【請求項２４】
システム情報の送信のための方法であって、
ユーザ端末からネットワークノードへ、１つまたは複数のシステム情報ブロックを各々が備える少なくとも１つのシステム情報ブロックグループについての要求を受信すること（２０２）であって、前記１つまたは複数のシステム情報ブロックが、前記１つまたは複数のシステム情報ブロックの特徴に従ってグループ化される、受信すること（２０２）と、
前記ネットワークノードから１つまたは複数のシステム情報ブロックグループを送信すること（２０４）であって、前記１つまたは複数のシステム情報ブロックグループが、前記少なくとも１つのシステム情報ブロックグループを備える、送信すること（２０４）と
を含む、方法。
【請求項２５】
前記要求の前記受信が、前記少なくとも１つのシステム情報ブロックグループを示すためのプリアンブルを受信することを含む、請求項２４に記載の方法。
【請求項２６】
前記要求の前記受信が、複数のプリアンブルから選択された前記プリアンブルを受信することを含み、前記選択されたプリアンブルが、前記少なくとも１つのシステム情報ブロックグループに関連する、請求項２５に記載の方法。
【請求項２７】
前記少なくとも１つのシステム情報ブロックグループが、前記プリアンブルの送信タイミングによって示される、請求項２５または２６に記載の方法。
【請求項２８】
前記要求の前記受信が、前記少なくとも１つのシステム情報ブロックグループに関連する選択された送信タイミングに従って前記ユーザ端末から前記要求を受信することを含む、請求項２７に記載の方法。
【請求項２９】
前記ユーザ端末に通知情報を送信することであって、前記少なくとも１つのシステム情報ブロックグループの送信が、前記通知情報に少なくとも部分的に基づいて、あらかじめ規定されるかまたは導出される、送信することをさらに含む、請求項２４から２８のいずれか一項に記載の方法。
【請求項３０】
前記通知情報が、最小システム情報中に含まれる、請求項２９に記載の方法。
【請求項３１】
前記１つまたは複数のシステム情報ブロックの前記特徴が、前記１つまたは複数のシステム情報ブロックの機能性および周期性のうちの少なくとも１つを含む、請求項２４から３０のいずれか一項に記載の方法。
【請求項３２】
前記ユーザ端末にインジケータを送信することであって、前記インジケータは、どのシステム情報ブロックグループが前記ネットワークノードから送信されているか、およびどのシステム情報ブロックグループが前記ネットワークノードから送信されるようにスケジュールされるか、のうちの少なくとも１つを示す、送信すること
をさらに含む、請求項２４から３１のいずれか一項に記載の方法。
【請求項３３】
前記１つまたは複数のシステム情報ブロックグループが、前記ユーザ端末によって要求されない少なくとも別のシステム情報ブロックグループをさらに備える、請求項２４から３２のいずれか一項に記載の方法。
【請求項３４】
前記通知情報が、プリアンブルのすべてとシステム情報ブロックグループのすべてとの間の対応を示す、請求項２９から３３のいずれか一項に記載の方法。
【請求項３５】
システム情報の送信のための装置（３００）であって、
少なくとも１つのプロセッサ（３０１）と、
コンピュータプログラムコード（３０３）を備える少なくとも１つのメモリ（３０２）と
を備え、
前記少なくとも１つのメモリ（３０２）および前記コンピュータプログラムコード（３０３）は、前記少なくとも１つのプロセッサ（３０１）とともに、前記装置（３００）に、少なくとも、
ユーザ端末から、１つまたは複数のシステム情報ブロックを各々が備える少なくとも１つのシステム情報ブロックグループについての要求を受信することであって、前記１つまたは複数のシステム情報ブロックが、前記１つまたは複数のシステム情報ブロックの特徴に従ってグループ化される、受信することと、
１つまたは複数のシステム情報ブロックグループを送信することであって、前記１つまたは複数のシステム情報ブロックグループが、前記少なくとも１つのシステム情報ブロックグループを備える、送信することと
を行わせるように設定された、
装置（３００）。
【請求項３６】
前記少なくとも１つのメモリおよび前記コンピュータプログラムコードが、前記少なくとも１つのプロセッサとともに、前記装置に、前記少なくとも１つのシステム情報ブロックグループを示すためのプリアンブルを受信することによって前記要求を受信させるように設定された、請求項３５に記載の装置。
【請求項３７】
前記少なくとも１つのメモリおよび前記コンピュータプログラムコードが、前記少なくとも１つのプロセッサとともに、前記装置に、複数のプリアンブルから選択された前記プリアンブルを受信することによって前記要求を受信させるように設定され、前記選択されたプリアンブルが、前記少なくとも１つのシステム情報ブロックグループに関連する、請求項３６に記載の装置。
【請求項３８】
前記少なくとも１つのシステム情報ブロックグループが、前記プリアンブルの送信タイミングによって示される、請求項３６または３７に記載の装置。
【請求項３９】
前記少なくとも１つのメモリおよび前記コンピュータプログラムコードが、前記少なくとも１つのプロセッサとともに、前記装置に、前記少なくとも１つのシステム情報ブロックグループに関連する選択された送信タイミングに従って前記ユーザ端末から前記要求を受信することによって、前記要求を受信させるように設定された、請求項３８に記載の装置。
【請求項４０】
前記少なくとも１つのメモリおよび前記コンピュータプログラムコードが、前記少なくとも１つのプロセッサとともに、前記装置に、少なくとも、前記ユーザ端末に通知情報を送信することをさらに行わせるように設定され、前記少なくとも１つのシステム情報ブロックグループの送信が、前記通知情報に少なくとも部分的に基づいて、あらかじめ規定されるかまたは導出される、請求項３５から３９のいずれか一項に記載の装置。
【請求項４１】
前記通知情報が、最小システム情報中に含まれる、請求項４０に記載の装置。
【請求項４２】
前記１つまたは複数のシステム情報ブロックの前記特徴が、前記１つまたは複数のシステム情報ブロックの機能性および周期性のうちの少なくとも１つを含む、請求項３５から４１のいずれか一項に記載の装置。
【請求項４３】
前記少なくとも１つのメモリおよび前記コンピュータプログラムコードは、前記少なくとも１つのプロセッサとともに、前記装置に、少なくとも、
前記ユーザ端末にインジケータを送信することであって、前記インジケータは、どのシステム情報ブロックグループが前記ネットワークノードから送信されているか、およびどのシステム情報ブロックグループが前記ネットワークノードから送信されるようにスケジュールされるか、のうちの少なくとも１つを示す、送信すること
をさらに行わせるように設定された、請求項３５から４２のいずれか一項に記載の装置。
【請求項４４】
前記１つまたは複数のシステム情報ブロックグループが、前記ユーザ端末によって要求されない少なくとも別のシステム情報ブロックグループをさらに備える、請求項３５から４３のいずれか一項に記載の装置。
【請求項４５】
前記通知情報が、プリアンブルのすべてとシステム情報ブロックグループのすべてとの間の対応を示す、請求項４０から４４のいずれか一項に記載の装置。
【請求項４６】
システム情報の送信のための装置（４００）であって、
ユーザ端末から、１つまたは複数のシステム情報ブロックを各々が備える少なくとも１つのシステム情報ブロックグループについての要求を受信するように設定された受信モジュール（４０２）であって、前記１つまたは複数のシステム情報ブロックが、前記１つまたは複数のシステム情報ブロックの特徴に従ってグループ化される、受信モジュール（４０２）と、
１つまたは複数のシステム情報ブロックグループを送信するように設定された送信モジュール（４０１）であって、前記１つまたは複数のシステム情報ブロックグループが、前記少なくとも１つのシステム情報ブロックグループを備える、送信モジュール（４０１）と
を備える、装置（４００）。
【請求項４７】
コンピュータとともに使用するために内部に具現されたコンピュータプログラムコード（３０３）をもつコンピュータ可読媒体を備えるコンピュータプログラム製品であって、前記コンピュータプログラムコード（３０３）が、請求項１から１１および請求項２４から３４のいずれか一項に記載の方法を実施するためのコードを備える、コンピュータプログラム製品。
【発明の詳細な説明】
【技術分野】
【０００１】
本開示は、一般に通信に関し、より詳細には、無線通信に関する。
【背景技術】
【０００２】
Ｌｏｎｇ  Ｔｅｒｍ  Ｅｖｏｌｕｔｉｏｎ（ＬＴＥ）システムなど、通信ネットワークでは、システム情報（ＳＩ）は、通信ネットワークとリンクするために、必要な情報を、ユーザ機器（ＵＥ）または無線デバイスなど、ユーザ端末に提供することができるので、重要である。新無線（ＮＲ）では、ＳＩは、最小ＳＩと他のＳＩとに分類され得る。最小ＳＩは、ユーザ端末がネットワークにどのようにアクセスすべきかを知り得るためにユーザ端末が読み取らなければならないＳＩである。他のＳＩは、最小ＳＩ内にないＳＩである。ＳＩは、マスタ情報ブロック（ＭＩＢ）および／またはシステム情報ブロック（ＳＩＢ）中でユーザ端末に送信され得る。たとえば、最小ＳＩは、ＬＴＥにおけるＭＩＢ、ＳＩＢ１およびＳＩＢ２に対応し得る。他のＳＩは、それらの残りのＳＩＢに対応し得る。他のＳＩは、ユーザ端末がネットワークにアクセスするために必要でないので、エネルギー効率を達成するために、ＳＩがオンデマンドで要求され得ることが望ましいことがある。
【発明の概要】
【０００３】
本発明の概要は、簡略化された形式での概念の選択を導入するために与えられ、それらの概念は、詳細な説明において以下でさらに説明される。本発明の概要は、請求される主題の主要な特徴または不可欠な特徴を識別するものではなく、請求される主題の範囲を限定するために使用されるものでもない。
【０００４】
本開示は、ユーザ端末からのＳＩについての要求に従って、通信ネットワークが、前述のような他のＳＩなど、ＳＩを送信またはブロードキャストすることを可能にし得る、ＳＩについてのオンデマンド要求のソリューションを提案する。
【０００５】
本開示の第１の態様によれば、ユーザ端末など、装置において実施され得る、ＳＩを要求するための方法が提供される。本方法は、ユーザ端末からネットワークノードへ、１つまたは複数のＳＩＢを各々が備える少なくとも１つのＳＩＢグループについての要求を送信することを含み得る。１つまたは複数のＳＩＢは、１つまたは複数のＳＩＢの特徴に従ってグループ化され得る。本方法は、ネットワークノードから１つまたは複数のＳＩＢグループを受信することをさらに含み得る。１つまたは複数のＳＩＢグループは、少なくとも１つのＳＩＢグループを備え得る。
【０００６】
例示的な実施形態では、本開示の第１の態様による方法は、ネットワークノードから通知情報を受信することをさらに含み得る。たとえば、少なくとも１つのＳＩＢグループの送信が、通知情報に少なくとも部分的に基づいて、あらかじめ規定されるかまたは導出され得る。
【０００７】
例示的な実施形態では、本開示の第１の態様による方法は、ネットワークノードからインジケータを受信することをさらに含み得る。インジケータは、どのＳＩＢグループがネットワークノードから送信されているか、およびどのＳＩＢグループがネットワークノードから送信されるようにスケジュールされるか、のうちの少なくとも１つを示し得る。
【０００８】
本開示の第２の態様によれば、ＳＩを要求するための装置が提供される。本装置は、少なくとも１つのプロセッサと、コンピュータプログラムコードを備える少なくとも１つのメモリとを備え得る。少なくとも１つのメモリおよびコンピュータプログラムコードは、少なくとも１つのプロセッサとともに、本装置に、少なくとも、本開示の第１の態様による方法の任意のステップを実施させるように設定され得る。
【０００９】
本開示の第３の態様によれば、コンピュータとともに使用するために内部に具現されたコンピュータプログラムコードをもつコンピュータ可読媒体を備えるコンピュータプログラム製品が提供される。コンピュータプログラムコードは、本開示の第１の態様による方法の任意のステップを実施するためのコードを備え得る。
【００１０】
本開示の第４の態様によれば、ＳＩを要求するための装置が提供される。本装置は、送信モジュールと受信モジュールとを備え得る。いくつかの例示的な実施形態によれば、送信モジュールは、少なくとも、本開示の第１の態様による方法の送信ステップを行うように動作可能であり得る。受信モジュールは、少なくとも、本開示の第１の態様による方法の受信ステップを行うように動作可能であり得る。
【００１１】
例示的な実施形態によれば、要求の送信は、少なくとも１つのＳＩＢグループを示すためのプリアンブルを送信することを含み得る。
【００１２】
例示的な実施形態によれば、要求の送信は、複数のプリアンブルから、少なくとも１つのＳＩＢグループに関連するプリアンブルを選択することと、ネットワークノードに要求を送信することとを含み得る。要求は、選択されたプリアンブルを含み得る。
【００１３】
例示的な実施形態によれば、少なくとも１つのＳＩＢグループは、プリアンブルの送信タイミングによって示され得る。
【００１４】
例示的な実施形態によれば、要求の送信は、少なくとも１つのＳＩＢグループに関連する選択された送信タイミングに従ってネットワークノードに要求を送信することを含み得る。
【００１５】
本開示の第５の態様によれば、ネットワークノードなど、装置において実施され得る、ＳＩの送信のための方法が提供される。本方法は、ユーザ端末からネットワークノードへ、１つまたは複数のＳＩＢを各々が備える少なくとも１つのＳＩＢグループについての要求を受信することを含み得る。１つまたは複数のＳＩＢは、１つまたは複数のＳＩＢの特徴に従ってグループ化され得る。本方法は、ネットワークノードから１つまたは複数のＳＩＢグループを送信することをさらに含み得る。１つまたは複数のＳＩＢグループは、少なくとも１つのＳＩＢグループを備え得る。
【００１６】
例示的な実施形態によれば、本開示の第５の態様による方法は、ユーザ端末に通知情報を送信することをさらに含み得る。たとえば、少なくとも１つのＳＩＢグループの送信が、通知情報に少なくとも部分的に基づいて、あらかじめ規定されるかまたは導出され得る。
【００１７】
例示的な実施形態によれば、本開示の第５の態様による方法は、ネットワークノードからインジケータを送信することをさらに含み得る。インジケータは、どのＳＩＢグループがネットワークノードから送信されているか、およびどのＳＩＢグループがネットワークノードから送信されるようにスケジュールされるか、のうちの少なくとも１つを示し得る。
【００１８】
本開示の第６の態様によれば、ＳＩの送信のための装置が提供される。本装置は、少なくとも１つのプロセッサと、コンピュータプログラムコードを備える少なくとも１つのメモリとを備え得る。少なくとも１つのメモリおよびコンピュータプログラムコードは、少なくとも１つのプロセッサとともに、本装置に、少なくとも、本開示の第５の態様による方法の任意のステップを実施させるように設定され得る。
【００１９】
本開示の第７の態様によれば、コンピュータとともに使用するために内部に具現されたコンピュータプログラムコードをもつコンピュータ可読媒体を備えるコンピュータプログラム製品が提供される。コンピュータプログラムコードは、本開示の第５の態様による方法の任意のステップを実施するためのコードを備え得る。
【００２０】
本開示の第８の態様によれば、ＳＩの送信のための装置が提供される。本装置は、受信モジュールと送信モジュールとを備え得る。いくつかの例示的な実施形態によれば、受信モジュールは、少なくとも、本開示の第５の態様による方法の受信ステップを行うように動作可能であり得る。送信モジュールは、少なくとも、本開示の第５の態様による方法の送信ステップを行うように動作可能であり得る。
【００２１】
例示的な実施形態によれば、要求の受信は、少なくとも１つのＳＩＢグループを示すためのプリアンブルを受信することを含み得る。
【００２２】
例示的な実施形態によれば、要求の受信は、複数のプリアンブルから選択された上記プリアンブルを受信することを含み得る。選択されたプリアンブルは、少なくとも１つのＳＩＢグループに関連し得る。
【００２３】
例示的な実施形態によれば、少なくとも１つのＳＩＢグループは、プリアンブルの送信タイミングによって示され得る。
【００２４】
例示的な実施形態によれば、要求の受信は、少なくとも１つのＳＩＢグループに関連する選択された送信タイミングに従ってユーザ端末から要求を受信することを含み得る。
【００２５】
例示的な実施形態によれば、通知情報は、最小ＳＩ中に含まれ得る。
【００２６】
例示的な実施形態によれば、通知情報は、プリアンブルのすべてとＳＩＢグループのすべてとの間の対応を示し得る。
【００２７】
いくつかの例示的な実施形態によれば、１つまたは複数のＳＩＢの特徴は、１つまたは複数のＳＩＢの機能性および周期性のうちの少なくとも１つを含み得る。
【００２８】
いくつかの例示的な実施形態によれば、少なくとも１つのＳＩＢグループについての要求は、少なくとも１つのＳＩＢグループを示すためのプリアンブルを備え得る。少なくとも１つのＳＩＢグループは、プリアンブルシーケンスまたはプリアンブルの送信タイミングによって示されるか、あるいはそれらに関連し得る。たとえば、プリアンブルによる少なくとも１つのＳＩＢグループの指示は、ネットワークノードからの通知情報に少なくとも部分的に基づいて、あらかじめ規定されるかまたは導出され得る。
【００２９】
いくつかの例示的な実施形態によれば、ネットワークノードからの１つまたは複数のＳＩＢグループは、ユーザ端末によって要求されない少なくとも別のＳＩＢグループをさらに備え得る。
【００３０】
本開示自体、好ましい使用モードおよびさらなる目的は、添付の図面とともに読まれるとき、実施形態の以下の詳細な説明を参照することによって最も良く理解される。
【図面の簡単な説明】
【００３１】
【図１】本開示の一実施形態による、ＳＩを要求するための方法を例示するフローチャートである。
【図２】本開示の別の実施形態による、ＳＩの送信のための方法を例示するフローチャートである。
【図３】本開示の一実施形態による、装置を例示するブロック図である。
【図４】本開示の一実施形態による、別の装置を例示するブロック図である。
【発明を実施するための形態】
【００３２】
添付の図面を参照しながら本開示の実施形態が詳細に説明される。本明細書全体にわたる、特徴、利点、または同様の言い回しへの言及は、本開示とともに実現され得る特徴および利点のすべてが、本開示の単一の実施形態におけるものであるべきであることまたはその実施形態におけるものであることを暗示しない。むしろ、特徴および利点に言及する言い回しは、一実施形態に関して説明される特定の特徴、利点、または特性が、本開示の少なくとも１つの実施形態に含まれることを意味すると理解されたい。さらに、本開示の説明される特徴、利点、および特性は、１つまたは複数の実施形態において任意の好適な様式で組み合わせられ得る。具体的な実施形態の特定の特徴または利点のうちの１つまたは複数なしに本開示が実施され得ることを、当業者は認識されよう。他の事例では、本開示のすべての実施形態に存在するとは限らないことがある追加の特徴および利点が、いくつかの実施形態において認識され得る。
【００３３】
新無線（ＮＲ）など、無線ネットワークでは、ＳＩは、セル中の基地局または次世代ノードＢ（ｇＮＢ）など、ネットワークノードによって、特定のセルを監視するすべてのユーザ端末にブロードキャストされ得る。ユーザ端末が、必要とされるＳＩを維持することは、さもなければユーザ端末が相互動作可能な様式でネットワークと対話することができないので、重要である。前述のように、ＮＲにおける最小ＳＩは、ＬＴＥにおけるＭＩＢ、ＳＩＢ１およびＳＩＢ２に対応する。ネットワークに他のＳＩをどのように要求するかに関していくつかの仮定がある。たとえば、他のＳＩについての要求を搬送するために、ＭＳＧ１および／またはＭＳＧ３のようないくつかのメッセージが使用され得る。
【００３４】
すべての他のＳＩについての要求を搬送するためにＭＳＧ１の１つのプリアンブルを使用する場合、そのことは、いくつかの望ましくない他のＳＩの不要な送信を生じ得る。これは、システム中に極めて多くの他のＳＩがあり、ネットワークが、他のＳＩを要求するためにそのようなプリアンブルを受信するときに、すべての他のＳＩをブロードキャストしなければならないことがあるからである。しかしながら、ユーザ端末は、すべての他のＳＩを必要とするとは限らないことがある。
【００３５】
他のＳＩを要求するためにＭＳＧ３を使用する場合、ランダムアクセスプロシージャ中に競合があり得るので、ネットワークは、適時に確実にＭＳＧ３を検出することが可能でないことがある。さらに、他のＳＩを要求するためにより多くのメッセージが送信されるので、追加のオーバーヘッドおよび遅延がある。
【００３６】
本開示は、ＳＩについてのオンデマンド要求のソリューションを提案する。提案されるソリューションでは、１つまたは複数のＳＩＢが、それらの関係性または相関に従ってＳＩＢグループに分類され得る。ユーザ端末が、何らかの特定のＳＩを要求することを希望するとき、ユーザ端末は、ネットワークノードに、その特定のＳＩが含まれているＳＩＢグループを要求することができる。その場合、ネットワークノードは、ユーザ端末がどのＳＩＢグループを実際に必要とするかを知り、それに応じて、要求されたＳＩＢグループをブロードキャストすることができる。このようにして、ネットワークノードは、より多くのエネルギー効率で、ユーザ端末にＳＩを送信またはブロードキャストすることができる。一方、ユーザ端末によって必要とされる同じＳＩについての要求を別のユーザ端末がすでに送った場合、ユーザ端末は追加のＳＩ要求を送る必要がないので、ユーザ端末の視点から送信リソースおよびエネルギーも節約され得る。
【００３７】
図１は、本開示の一実施形態による、ＳＩを要求するための方法を例示するフローチャートである。図１に示されている方法は、ユーザ端末において実装された、またはユーザ端末に通信可能に結合された、装置によって実施され得る。例示的な実施形態によれば、ユーザ端末は、ＵＥ、移動局、無線デバイス、携帯情報端末（ＰＤＡ）、ラップトップコンピュータ、タブレットコンピュータ、スマートフォン、ポータブルデバイス、または無線ネットワークの通信に参加することが可能である任意の他のユーザデバイスを備え得る。
【００３８】
図１に示されている例示的な方法によれば、ブロック１０２に示されているように、ユーザ端末からネットワークノードへ、１つまたは複数のＳＩＢを各々が備える少なくとも１つのＳＩＢグループについての要求が送信され得る。例示的な実施形態では、１つまたは複数のＳＩＢは、１つまたは複数のＳＩＢの特徴に従ってグループ化または分類され得る。ここで述べられるＳＩＢに対応するＳＩは、ＮＲのコンテキストにおける最小ＳＩ以外のＳＩを備え得ることを了解されよう。本明細書で使用される「ＳＩ」および「ＳＩＢ」という用語ならびに１つまたは複数のＳＩＢのグループ化の例示的な説明は、ＮＲおよびＬＴＥに限定されないことに留意されたい。ＮＲおよびＬＴＥに関していくつかの例示的な実施形態が説明されるが、本明細書の提案される方法、装置および関係する製品は、他の好適なネットワーク環境にも適用可能であり得る。前に説明されたように、最小ＳＩは、ＬＴＥにおけるＭＩＢ、ＳＩＢ１およびＳＩＢ２に対応し、それに応じて、他のＳＩは、ＳＩＢ３からＳＩＢ２１までに対応する。１つまたは複数のＳＩＢの特徴は、ＬＴＥにおけるＳＩＢ定義から学習され得る。たとえば、１つまたは複数のＳＩＢの特徴は、ＳＩＢの機能性および周期性のうちの少なくとも１つを含み得る。しかしながら、ＳＩＢのより多くの特徴を学習するために他の好適なルールも適用可能であることを予想され得る。
【００３９】
表１は、ＬＴＥにおけるいくつかのＳＩＢの機能的説明を例示的に示す。ＳＩを搬送するＳＩＢが、互いに完全に独立しているとは限らないことが表１からわかり得る。たとえば、ＳＩＢ３からＳＩＢ８は、各ＳＩＢが異なる責任を有するが、すべて、セル再選択をどのように行うかに関係する。それゆえ、ＳＩＢ３からＳＩＢ８は、一緒にグループ化され得る。ＳＩＢ１０からＳＩＢ１２の場合、これらのＳＩＢは、すべて、警報および警告に関係する。それゆえ、ＳＩＢ１０からＳＩＢ１２は、一緒にグループ化され得る。ＳＩＢ１８からＳＩＢ１９の場合、ＳＩＢは両方とも、デバイスツーデバイス（Ｄ２Ｄ）サイドリンク通信に関係する。それに応じて、ＳＩＢ１８からＳＩＢ１９は、一緒にグループ化され得る。残りのＳＩＢは、一緒にグループ化され得る。したがって、表１に記載されているＳＩＢは、４つのグループに分類され得る。
【表１】
2020503796.tif 000003
【００４０】
異なるＳＩＢおよびそれらのＳＩがそれらの機能性に従ってグループ化され得ることがわかり得る。場合によっては、ＳＩＢは、４つのグループよりも多いまたは少ないグループに分類され得る。たとえば、警報および警告に関係するＳＩＢの送信は、ユーザ端末によってではなく、ネットワークによってトリガされるので、ＳＩＢ１０〜ＳＩＢ１２に関連するＳＩは、ユーザ端末によって要求される必要がまったくない。その場合、合計で、要求されるべき３つのＳＩＢグループがある。これらのＳＩＢをグループ化するための他のやり方も考えられる。たとえば、セル再選択に関係するＳＩＢは、あるグループに分類され得、すべての他のＳＩＢは、別のグループに分類され得る。
【００４１】
ＳＩＢを分類するために使用され得るＳＩＢの別の特徴は、周期性である。たとえば、同じまたは同様の送信周期性をもつＳＩＢが、一緒にグループ化され得る。一例として、ＬＴＥ  ＳＩＢ送信周期性を使用し、ここで、各々が８０ｍｓ、１６０ｍｓ、３２０ｍｓ、６４０ｍｓ、１２８０ｍｓ、２５６０ｍｓおよび５１２０ｍｓの周期性をもつＳＩＢは、７つのＳＩＢグループに分類され得る。代替的に、ＳＩＢは、３つのＳＩＢグループに分類され得、第１のグループは、８０ｍｓ、１６０ｍｓの周期性をもつＳＩＢを備え、第２のグループは、３２０ｍｓ、６４０ｍｓの周期性をもつＳＩＢを備え、第３のグループは、１２８０ｍｓ、２５６０ｍｓ、５１２０ｍｓの周期性をもつＳＩＢを備える。１つまたは複数のＳＩＢが、ＳＩＢの周期性に従って所望の数のグループに分類され得ることを了解されよう。
【００４２】
図１に示されている例示的な方法によれば、少なくとも１つのＳＩＢグループについての要求の送信は、少なくとも１つのＳＩＢグループを示すためのプリアンブルを送信することを含み得る。
【００４３】
例示的な実施形態では、要求の送信は、複数のプリアンブルから、少なくとも１つのＳＩＢグループに関連するプリアンブルを選択することと、ネットワークノードに要求を送信することとを含み得る。要求は、選択されたプリアンブルを含み得る。
【００４４】
例示的な実施形態では、少なくとも１つのＳＩＢグループは、プリアンブルの送信タイミングによって示され得る。場合によっては、要求の送信は、少なくとも１つのＳＩＢグループに関連する選択された送信タイミングに従ってネットワークノードに要求を送信することを含み得る。
【００４５】
例示的な実施形態では、少なくとも１つのＳＩＢグループは、（プリアンブルのシーケンスまたは説明しやすいようにプリアンブルシーケンスとも呼ばれる）プリアンブル、またはプリアンブルの選択された送信タイミングに関連し得る。したがって、ユーザ端末は、ネットワークノードに、必要とされるＳＩＢグループを選択的に要求することができる。
【００４６】
例示的な実施形態では、異なるプリアンブルシーケンスを使用することによって、ＳＩＢグループについての選択的要求がユーザ端末から送信され得、異なるプリアンブルシーケンスは、プリアンブルのインデックスによって区別され得る。１つのプリアンブルシーケンスが、ＳＩＢグループの所定の組合せに対応し得る。一例として３つのプリアンブルを挙げる。代替Ｉでは、プリアンブル１〜３が、それぞれ、ＳＩＢグループ１〜３を示すために使用され得、ここで、ＳＩＢグループ１は、セル再選択に関係し、ＳＩＢグループ２は、サイドリンク通信に関係し、ＳＩＢグループ３は、残りの１つまたは複数のＳＩＢを備える。この代替によれば、（たとえば、ＳＩＢグループ１および２を備える）複数のＳＩＢグループを必要とするユーザ端末が、ネットワークノードに（たとえば、プリアンブル１および２を備える）複数のＳＩＢグループ要求を送るために必要とされ得る。
【００４７】
複数のプリアンブルの使用は、異なるやり方でのものであり得ることを了解されよう。たとえば、代替ＩＩでは、プリアンブル１〜３が、それぞれ、ＳＩＢグループ１、ＳＩＢグループ１＋２、およびＳＩＢグループ１＋２＋３を示すために使用され得る。この代替によれば、ユーザ端末は、すべての所望のＳＩＢグループを得るために、対応するプリアンブルを常に選択することができる。代替Ｉと比較して、代替ＩＩは、プリアンブルリソース／送信を節約し得るが、不要なＳＩを送信する確率は、代替Ｉよりも高い。
【００４８】
したがって、異なるプリアンブルを使用することによってネットワーク中のＳＩＢグループが示されるとき、ユーザ端末は、ユーザ端末が、ＳＩＢグループのうちの少なくとも１つからＳＩを要求することを希望する場合、ネットワークノードに、対応するプリアンブルを送ることができる。ネットワークノードがそのようなプリアンブルを検出したとき、ネットワークノードは、それゆえ、検出されたプリアンブルに従って、示されたＳＩＢグループ内でのみＳＩを送信またはブロードキャストすることができる。
【００４９】
図１に示されている例示的な方法によれば、ユーザ端末は、ネットワークノードから送信された通知情報を受信し得る。この場合、少なくとも１つのＳＩＢグループの送信が、通知情報に少なくとも部分的に基づいて、あらかじめ規定されるかまたは導出され得る。場合によっては、通知情報は、最小ＳＩ中に含まれ得る。
【００５０】
例示的な実施形態では、通知情報は、プリアンブルのすべてとＳＩＢグループのすべてとの間の対応を示し得る。場合によっては、少なくとも１つのＳＩＢグループと関連するプリアンブルとの間の対応またはプリアンブルによる少なくとも１つのＳＩＢグループの指示は、ネットワークノードからの通知情報に少なくとも部分的に基づいて、あらかじめ規定されるかまたは導出され得る。たとえば、１つまたは複数のＳＩＢによって搬送されるＳＩのオンデマンド送信を要求するために使用されるプリアンブルは、ユーザ端末およびネットワークノードによって知られる指定されたルールに従ってあらかじめ規定され得る。
【００５１】
例示的な実施形態では、プリアンブルとＳＩＢグループとの間の対応が最小ＳＩにおいて通知される場合、最小ＳＩは、１つのＳＩＢグループについて１つのプリアンブルのみを示すことができるが、ユーザ端末が他のＳＩＢグループについて他のプリアンブルを導出するための指定されたルールがある。たとえば、指定されたルールは、ＳＩＢグループを要求するためのすべてのプリアンブルが、連続するインデックスをもち、１だけ増加されたインデックスをもつ各プリアンブルが、もう１つのＳＩＢグループを示すことが仮定される。したがって、前述のような代替ＩＩでは、最小ＳＩにおいて、インデックス「ｎ」をもつプリアンブルがＳＩＢグループ１を示すために使用されることが通知される場合、指定されたルールに従って、ユーザ端末は、インデックス「ｎ＋１」をもつプリアンブルがＳＩＢグループ１＋２を示すために使用され、インデックス「ｎ＋２」をもつプリアンブルがＳＩＢグループ１＋２＋３を示すために使用されることを知り得る。ＳＩの選択的要求および送信のためのプリアンブルを決定するために他の好適なルールも適用可能であり得ることが諒解されよう。たとえば、ＳＩＢグループを要求するためのプリアンブルは、連続しないインデックスをもち得、および／またはプリアンブルのすべてとＳＩＢグループのすべてとの間の対応は、最小ＳＩにおいてネットワークノードから通知され得る。
【００５２】
別の例示的な実施形態では、異なるプリアンブルタイミングを使用することによって、ＳＩＢグループについての選択的要求がユーザ端末から送信され得る。この実施形態では、ネットワークノードにＳＩＢグループ送信を要求するために１つのプリアンブルのみが使用され得るが、プリアンブルが送られるタイミングは、どのＳＩＢグループが要求されるかを決定するために利用され得る。それゆえ、複数のＳＩＢグループを示すために異なるプリアンブルが使用される実施形態と比較して、複数のＳＩＢグループを示すために１つのプリアンブルの異なる送信タイミングを使用することは、送信リソースを節約し得る。
【００５３】
８０ｍｓ、１６０ｍｓの周期性をもつＳＩＢグループＡと、３２０ｍｓ、６４０ｍｓの周期性をもつＳＩＢグループＢと、１２８０ｍｓ、２５６０ｍｓ、５１２０ｍｓの周期性をもつＳＩＢグループＣとを含む、３つのＳＩＢグループがあると仮定する。ＳＩＢグループＡ、ＢおよびＣのそれぞれの最小周期性は、それぞれ、８０ｍｓ、３２０ｍｓおよび１２８０ｍｓである。その場合、プリアンブルを送ることによってＳＩＢグループが要求されるタイミングは、どのＳＩＢグループが要求されるかを決定する。例示的な実施形態では、要求されたＳＩＢグループは、ユーザ端末によって送られたプリアンブルに対応するフレームが、ＳＩＢグループの最小周期性の整数倍の期間を有するかどうかに従って決定され得る。さらなるルールとして、そのフレームの期間がいくつかのＳＩＢグループの最小周期性の整数倍である場合、最も大きい周期性をもつＳＩＢグループ（または代替的に最も小さい周期性をもつＳＩＢグループ）は、要求されたＳＩＢグループとして決定され得る。別の例示的な実施形態では、要求されたＳＩＢグループは、ユーザ端末によって送られたプリアンブルに対応するフレーム、およびＳＩが送信またはブロードキャストされ得る最新の次のフレームに従って決定され得る。この実施形態では、プリアンブルに対応するフレームは、ＳＩＢグループの最小周期性の整数倍でない期間を有し得る。
【００５４】
一例として、フレーム長が１０ｍｓである、ＬＴＥフレームを使用する。プリアンブルに対応するフレームの数が２４である場合、フレームの期間は２４０ｍｓであり、これは、ＳＩＢグループＡの最小周期性８０ｍｓの整数倍である。これは、ユーザ端末がＳＩＢグループＡを要求することを希望することを意味する。同様に、プリアンブルに対応するフレームの数が９６である場合、フレームの期間は９６０ｍｓであり、これは、ＳＩＢグループＡの最小周期性８０ｍｓおよびＳＩＢグループＢの最小周期性３２０ｍｓの整数倍である。これは、ユーザ端末が、ＳＩＢグループＡとＳＩＢグループＢの両方を要求することを希望するが、ＳＩＢグループＣを要求することを希望しないことを意味する。またはさらなるルールとして、ＳＩＢグループＢの最小周期性はＳＩＢグループＡの最小周期性よりも大きいので、要求されるのは、ＳＩＢグループＡおよびＢではなく、ＳＩＢグループＢである。代替的に、プリアンブルに対応するフレーム数が２２である場合、あらかじめ規定された基準によれば、ＳＩを送信またはブロードキャストする最新の次のフレームの数は２４である。この最新の次のフレームの期間は、ＳＩＢグループＡの最小周期性の整数倍である、２４０ｍｓであるので、これは、ユーザ端末が、ただＳＩＢグループＡを要求することを希望することを意味することがある。
【００５５】
したがって、ユーザ端末があるＳＩＢグループを要求することを希望するとき、ユーザ端末は、特定のタイミングまたはフレームにおいてネットワークノードへの要求として、プリアンブルを送ることができる。ネットワークノードがこのプリアンブルを検出したとき、ネットワークノードは、プリアンブルの送信タイミングに従って、ユーザ端末がどのＳＩＢグループを要求することを希望するかを決定することができる。それに応じて、ネットワークノードは、ネットワーク中の対応するＳＩＢグループ内でのみＳＩを送信またはブロードキャストすることができる。これは、ネットワーク中の不要なＳＩ送信をなくすことができる。
【００５６】
再び図１を参照すると、ユーザ端末は、ブロック１０４に示されているように、ネットワークノードから１つまたは複数のＳＩＢグループを受信し得る。１つまたは複数のＳＩＢグループは、ブロック１０２においてユーザ端末によって要求された少なくとも１つのＳＩＢグループを備え得る。場合によっては、１つまたは複数のＳＩＢグループは、ユーザ端末によって要求されない少なくとも別のＳＩＢグループをさらに備え得る。たとえば、代替ＩＩにおいて前に説明されたように、プリアンブル３が、ＳＩＢグループ１＋２＋３を示すために使用される。ユーザ端末がＳＩＢグループ１内でＳＩを取得することを希望する場合、ユーザ端末は、ネットワークノードにＳＩＢグループ１を要求するためにプリアンブル３を使用するとき、ＳＩＢグループ１に加えて、ＳＩＢグループ２および３をも取得し得る。明らかに、ＳＩＢグループ２および３は、ユーザ端末によって実際に必要とされない。別の例では、ネットワークノードは、ネットワーク中の異なるユーザ端末によって要求された複数のＳＩＢグループを送信またはブロードキャストし得るので、ユーザ端末は、他のユーザ端末によって要求された１つまたは複数のＳＩＢグループを受信し得る。
【００５７】
図２は、本開示の別の実施形態による、ＳＩの送信のための方法を例示するフローチャートである。図２に示されている方法は、ネットワークノードにおいて実装された、またはネットワークノードに通信可能に結合された、装置によって実施され得る。例示的な実施形態によれば、ネットワークノードは、エボルブドノードＢ（ｅＮＢ）、ｇＮＢ、アクセスポイント（ＡＰ）、基地局（ＢＳ）、通信ノード、制御センター、中継局、リピータ、または無線ネットワークの通信に参加することが可能である任意の他のネットワークデバイスを備え得る。
【００５８】
図１に示されている、ユーザ端末によって実施されるＳＩを要求するための例示的な方法のステップに対応して、ネットワークノードは、ブロック２０２に示されているように、ユーザ端末から、１つまたは複数のＳＩＢを各々が備える少なくとも１つのＳＩＢグループについての要求を受信し得る。図１に関して説明されるように、１つまたは複数のＳＩＢは、１つまたは複数のＳＩＢの機能性および／または周期性など、１つまたは複数のＳＩＢの特徴に従ってグループ化され得る。ブロック２０４において、１つまたは複数のＳＩＢグループは、ネットワークノードから送信またはブロードキャストされ得る。１つまたは複数のＳＩＢグループは、ユーザ端末によって要求された少なくとも１つのＳＩＢグループを備え得る。場合によっては、１つまたは複数のＳＩＢグループは、他のユーザ端末によって要求された少なくとも別のＳＩＢグループをさらに備え得る。
【００５９】
例示的な実施形態では、要求の受信は、少なくとも１つのＳＩＢグループを示すためのプリアンブルを受信することを含み得る。プリアンブルは、複数のプリアンブルから選択され、少なくとも１つのＳＩＢグループに関連し得る。場合によっては、少なくとも１つのＳＩＢグループは、プリアンブルの送信タイミングによって示され得る。それに応じて、要求の受信は、少なくとも１つのＳＩＢグループに関連する選択された送信タイミングに従ってユーザ端末から要求を受信することを含み得る。
【００６０】
前述のように、ネットワークノードは、ユーザ端末が（１つまたは複数の）グループベースＳＩＢの送信を選択的に要求することができるように、ＳＩＢグループと、ＳＩＢグループを示すために使用されるプリアンブルとの間の対応をユーザ端末に通知し得る。（１つまたは複数の）グループベースＳＩＢの選択的送信をより効果的にするために、ネットワークノードは、ネットワークノードによってサーブされるセル中で（１つまたは複数の）グループベースＳＩＢの何らかのスケジューリング情報を与え得る。その場合、ユーザ端末は、そのようなスケジューリング情報から、必要とされるＳＩがブロードキャストされているか否かを検出することができる。
【００６１】
例示的な実施形態によれば、ネットワークノードは、どのＳＩＢグループがネットワークノードから送信またはブロードキャストされているか、およびどのＳＩＢグループがネットワークノードから送信またはブロードキャストされるようにスケジュールされるか、のうちの少なくとも１つを示すためのインジケータを送信し得る。対応して、ユーザ端末は、ネットワークノードから（グループベースＳＩＢインジケータとも呼ばれる）このインジケータを受信し得る。したがって、ユーザ端末は、必要とされるＳＩが、ネットワークノードによってサーブされるセル中で利用可能であるかどうかを、インジケータから学習することができる。たとえば、必要とされるＳＩを含んでいるＳＩＢグループが、ネットワークノードからのインジケータによって示される場合、ユーザ端末が、ネットワークノードにこのＳＩＢグループについての要求を送信することは必要でない。
【００６２】
例示的な実施形態では、グループベースＳＩＢインジケータは、（１つまたは複数の）グループベースＳＩＢおよび有効性情報を示すために、ネットワークノードによって最小ＳＩ中で与えられ得る。前に説明された代替Ｉでは、ＳＩＢグループ送信を示すためのグループベースＳＩＢインジケータとして２ビットが使用され得、すなわち、００−ＳＩＢグループの送信なし、０１−ＳＩＢグループ１の送信、１０−ＳＩＢグループ２の送信、１１−ＳＩＢグループ３の送信である。同様に、前に説明された代替ＩＩでは、ＳＩＢグループ送信を示すためのグループベースＳＩＢインジケータとして２ビットが使用され得、すなわち、００−ＳＩＢグループの送信なし、０１−ＳＩＢグループ１の送信、１０−ＳＩＢグループ１＋２の送信、１１−ＳＩＢグループ１＋２＋３の送信である。
【００６３】
ユーザ端末は、ネットワークノードによってブロードキャストされる最小ＳＩ中のグループベースＳＩＢインジケータを検査することができる。ユーザ端末が、最小ＳＩ中のそのようなインジケータを読み取ったとき、ユーザ端末は、対応するセル中でどの（１つまたは複数の）ＳＩＢグループが現在利用可能であるかを知ることができる。その場合、ユーザ端末は、ユーザ端末がネットワークノードにＳＩＢグループについての要求を送る必要があるかどうかを決めることができる。最小ＳＩ中のグループベースＳＩＢインジケータが、ＳＩＢグループがネットワークノードによって送信／ブロードキャストされているかまたは送信／ブロードキャストされることになることを示し、これが、ＳＩＢグループがセル中で利用可能であることを意味する場合、ユーザ端末は、このＳＩＢグループを要求するために、ネットワークノードに、対応するプリアンブルを送らないであろう。
【００６４】
さらなる実施形態では、ユーザ端末が少なくとも１つのＳＩＢグループについてのＳＩＢグループ要求を送信する場合でも、ネットワークノードは、より多くのＳＩＢグループの送信を示すことによって、ＳＩＢグループ要求をオーバーライドすることができる。たとえば、ネットワークノードは、１つまたは複数のユーザ端末のいずれかからの複数のＳＩＢグループ要求を組み合わせ、（１つまたは複数の）ＳＩＢグループおよび対応するインジケータセッティングの送信を決定し得る。
【００６５】
図１〜図２に関して例示されているような提案される方法は、１つまたは複数のＳＩＢをＳＩＢグループに分類することができ、ＳＩＢグループまたはいくつかのＳＩＢグループの組合せは、ＳＩＢグループを要求するための一意のプリアンブルまたは一意のタイミングに関連し得る。ユーザ端末がＳＩＢグループを要求することを希望するとき、ユーザ端末は、その実際の必要に従って、対応するＳＩＢグループを要求するために、ネットワークノードに別個のプリアンブルを送るかまたはあるタイミングにおいてプリアンブルを送ることができる。ネットワークノードは、その場合、ユーザ端末がどのＳＩＢグループを必要とするかを知り、それに応じて、そのＳＩＢグループをブロードキャストすることができる。このようにして、ネットワークノードは、ユーザ端末に不要なＳＩを送信することを回避することができる。
【００６６】
したがって、オンデマンド送信のための１つまたは複数のＳＩＢのグループ化を用いて、ネットワークノードは、ユーザ端末からのＳＩＢグループ要求に応答して、すべてのＳＩＢグループではなく、指定されたＳＩＢグループのみを送ることができることがわかり得る。これは、異なるプリアンブルまたは異なるプリアンブル送信タイミングを使用することによって達成され得る。さらに、ＳＩＢごとのインジケータではなく、１つまたは複数のＳＩＢグループの利用可能性を示すためのグループベースＳＩＢインジケータを使用することは、最小ＳＩ中で必要とされるビット数をかなり低減し、それにより、ＳＩの選択的送信をより効果的にすることができる。
【００６７】
図１〜図２に示されている様々なブロックまたは情報フローは、方法ステップ、および／またはコンピュータプログラムコードの動作から生じる動作、および／または関連する（１つまたは複数の）機能を行うために構築された複数の結合された論理回路要素と見なされ得る。上記で説明された概略フローチャート図は、概して、論理フローチャート図として記載される。したがって、図示された順序および標示されたステップは、提示された方法の特定の実施形態を示す。例示された方法の、１つまたは複数のステップ、またはそれらの部分と、機能、論理、または効果において等価である他のステップおよび方法が想到され得る。さらに、特定の方法が行われる順序は、示されている対応するステップの順序に厳密に従うことも従わないこともある。
【００６８】
図３は、本開示のいくつかの実施形態による、装置３００を例示するブロック図である。図３に示されているように、装置３００は、少なくとも１つのプロセッサ３０１と、コンピュータプログラムコード３０３を記憶する少なくとも１つのメモリ３０２とを備え得る。少なくとも１つのメモリ３０２およびコンピュータプログラムコード３０３は、少なくとも１つのプロセッサ３０１とともに、装置３００に、少なくとも、図１または図２に関して説明されるような方法の任意のステップを実施させるように設定され得る。代替または追加として、少なくとも１つのメモリ３０２およびコンピュータプログラムコード３０３は、少なくとも１つのプロセッサ３０１とともに、装置３００に、少なくとも、提案される方法を実装するためにより多いまたはより少ないステップを実施させるように設定され得る。
【００６９】
図４は、本開示のいくつかの実施形態による、別の装置４００を例示するブロック図である。図４に示されているように、装置４００は、送信モジュール４０１と受信モジュール４０２とを備え得る。例示的な実施形態では、装置４００は、ユーザ端末において実装され得る。送信モジュール４０１は、ブロック１０２における動作を行うように動作可能であり得、受信モジュール４０２は、ブロック１０４における動作を行うように動作可能であり得る。別の例示的な実施形態では、装置４００は、ネットワークノードにおいて実装され得る。受信モジュール４０２は、ブロック２０２における動作を行うように動作可能であり得、送信モジュール４０１は、ブロック２０４における動作を行うように動作可能であり得る。場合によっては、送信モジュール４０１および／または受信モジュール４０２は、提案される方法を実装するためにより多いまたはより少ないステップを行うように動作可能であり得る。
【００７０】
概して、様々な例示的な実施形態は、ハードウェアまたは専用回路、ソフトウェア、論理あるいはそれらの任意の組合せで実装され得る。たとえば、いくつかの態様は、ハードウェアで実装され得、他の態様は、コントローラ、マイクロプロセッサまたは他のコンピューティングデバイスによって実行され得るファームウェアまたはソフトウェアで実装され得るが、本開示はそれに限定されない。本開示の例示的な実施形態の様々な態様は、ブロック図、フローチャートとして、または何らかの他の図式表現を使用して、例示および説明され得るが、本明細書で説明されるこれらのブロック、装置、システム、技法または方法は、非限定的な例として、ハードウェア、ソフトウェア、ファームウェア、専用回路または論理、汎用ハードウェアまたはコントローラまたは他のコンピューティングデバイス、あるいはそれらの何らかの組合せで実装され得ることを十分に理解されたい。
【００７１】
したがって、本開示の例示的な実施形態の少なくともいくつかの態様が、集積回路チップおよびモジュールなど、様々な構成要素において実施され得ることを諒解されたい。したがって、本開示の例示的な実施形態は、集積回路として具現される装置において実現され得、ここで、集積回路は、本開示の例示的な実施形態に従って動作するように設定可能である、データプロセッサ、デジタル信号プロセッサ、ベースバンド回路要素および無線周波数回路要素のうちの少なくとも１つまたは複数を具現するための回路要素（ならびに場合によってはファームウェア）を備え得る。
【００７２】
本開示の例示的な実施形態の少なくともいくつかの態様が、１つまたは複数のコンピュータまたは他のデバイスによって実行される、１つまたは複数のプログラムモジュールでなど、コンピュータ実行可能命令で具現され得ることを諒解されたい。概して、プログラムモジュールは、コンピュータまたは他のデバイス中のプロセッサによって実行されたとき、特定のタスクを実施するか、または特定の抽象データ型を実装する、ルーチン、プログラム、オブジェクト、構成要素、データ構造などを含む。コンピュータ実行可能命令は、ハードディスク、光ディスク、リムーバブル記憶媒体、固体メモリ、ランダムアクセスメモリ（ＲＡＭ）など、コンピュータ可読媒体に記憶され得る。当業者によって諒解されるように、プログラムモジュールの機能は、様々な実施形態において、必要に応じて、組み合わせられるかまたは分散され得る。さらに、機能は、は集積回路、フィールドプログラマブルゲートアレイ（ＦＰＧＡ）など、ファームウェアまたはハードウェア等価物で全体的にまたは部分的に具現され得る。
【００７３】
本開示は、明示的に本明細書で開示される特徴の任意の新規の特徴または組合せあるいはその任意の一般化のいずれかを含む。本開示の上記の例示的な実施形態への様々な変更および適応は、添付の図面とともに読まれるとき、上記の説明に鑑みて、当業者に明らかになり得る。しかしながら、任意のおよびすべての変更が、依然として、本開示の非限定的なおよび例示的な実施形態の範囲内に入るであろう。
【図１】
2020503796.tif 000004
【図２】
2020503796.tif 000005
【図３】
2020503796.tif 000006
【図４】
2020503796.tif 000007
【国際調査報告】
2020503796.tif 000008
2020503796.tif 000009